(57)【要約】      （修正有）【課題】人が出入りするときに引っかかりにくくするドアストッパーを提供する。【解決手段】板状のドアストッパーをドア枠内既設のアーマープレート部へねじ、磁石、穴へ装入等で固定し、ドア枠方向（閉まる方向）へ動かないようにする突起物であるストッパーＡ（ドア枠側からドア側に突き出す）と、ドアが数ｃｍ開いたところでドア内のラッチボルトが刺さる仮アーマープレートの穴が連続してあり、ストッパーＡがドアを閉める方向を制限し、仮アーマープレートの穴に刺さったラッチボルトがドアを開く方向を制限する。【選択図】図２
2019019585.tif 000002
【特許請求の範囲】
【請求項１】
ドア枠内既設のアーマープレート部へ固定する固定部分４、突起物であるストッパーＡ３と、ドアが数ｃｍ開いたところでドア内のラッチボルトが刺さる仮アーマープレートの穴２が板状に連続してあることを特徴とするドアストッパー１である。
【発明の詳細な説明】
【技術分野】
【０００１】
本発明はおもに家庭用に使用するドアについて、数ｃｍだけ開きドアを開閉できなくすることを目的とし、犬等の部屋への進入や脱出を防止し、空気の入れ替えはでき、人が部屋に出入りするときはドアノブを回しドアを開くことで可能であり、ドアを閉めるときは元の数ｃｍ開いた状態で閉まるドアストッパー。
【背景技術】
【０００２】
ドアストッパーで数ｃｍドアを開きその位置を保持するために、固定する装置や金具をドアや床に設置しているものや、ドアストッパーをドアとドア枠に挟むもの等があり、高価なものや、ドアストッパーにより数ｃｍからドアが閉まることはないが風等で勝手にドアが開くことがあった。
【先行技術文献】
【特許文献】
【０００３】
【特許文献１】特開２０１１−０５８３３６号公報
【発明の概要】
【０００４】
本ドアストッパーでドアを数ｃｍだけ開き固定し、人が出入りするときはドアノブを回しドアを開け閉めすることで可能であり、ドアストッパーが不要な時は簡単に脱着できるドアストッパー。
【発明が解決しようとする課題】
【０００５】
ドアを数ｃｍだけ開き固定することで空気の入れ替えはできるが、犬等の部屋への進入や脱出を防止し、人が部屋に出入りするときはドアノブを回しドアを開閉することで可能にする。以上のことを目的としたドアストッパーの発明
【課題を解決するための手段】
【０００６】
板状の本ドアストッパーをドア枠内既設のアーマープレート部へねじ、磁石、穴へ装入等で固定し、ドア枠方向（閉まる方向）へ動かないようにする突起物であるストッパーＡ（ドア枠側からドア側に突き出す）と、ドアが数ｃｍ開いたところでドア内のラッチボルトが刺さる仮アーマープレートの穴が連続してあり、ストッパーＡがドアを閉める方向を制限し、仮アーマープレートの穴に刺さったラッチボルトがドアを開く方向を制限することでドアストッパーの役目が可能になる。
ドアノブを回せばラッチボルトがドア側へ収納し仮アーマープレートの穴から外れ、ドアを開くことが可能になり、ドアを閉めればストッパーＡでドアが止まり、同時に仮アーマープレートの穴にラッチボルトが刺さりドアが開閉どちらにも動かず、数ｃｍ開いた状態でドアは止まる。
既設のアーマープレート部の穴を利用しまたは本ドアストッパーに同等の穴を開け、ストッパーＡの突き出している方が表とし、ストッパーＡが外れる構造、または、表側から突き出したストッパーＡが裏側へ移動する等、表側がフラットおよび凹みになることで、本ドアストッパーを外さなくてもドアが完全に隙間なく閉まる状態になる。
また、ドアの厚み等によりストッパーＡと仮アーマープレートの穴との間隔が不足しラッチボルトが仮アーマープレートの穴に刺さらない状態になることがありストッパーＡや仮アーマープレートの穴の位置を少し移動できるように考慮すべきである。
請求項1は『ドア枠内既設のアーマープレート部へ固定する固定部分４、突起物であるストッパーＡ３と、ドアが数ｃｍ開いたところでドア内のラッチボルトが刺さる仮アーマープレートの穴２が板状に連続してあることを特徴とするドアストッパー１である。』
【発明の効果】
【０００７】
空気の入れ替えをしながら、犬等の部屋への進入や、その逆に脱出することを防ぐ。  
【図面の簡単な説明】
【０００８】
【図１】ドアノブの構造
【図２】ドアストッパー
【符号の説明】
【０００９】
１  ドアストッパー
２  仮アーマープレートの穴
３  ストッパーＡ
４  固定部分
５  既設のアーマープレート（ドア枠側）
【発明を実施するための形態】
【００１０】
板状の本ドアストッパーをドア枠内既設のアーマープレート部へねじ、磁石、穴へ突起装入等で固定する固定部分、ドア枠方向（閉まる方向）へ動かないようにする突起物ストッパーＡと、ドアが数ｃｍ開いたところでドア内のラッチボルトが刺さる仮アーマープレートの穴が連続してあり、ストッパーＡがドアを閉める方向を制限し、仮アーマープレートの穴に刺さったラッチボルトがドアを開く方向を制限することでドアストッパーの役目が可能である。
ドアノブを回せばラッチボルトがドア側へ収納し仮アーマープレートの穴から外れ、ドアを開くことが可能になり、ドアを閉めればストッパーＡでドアが止まり、同時に仮アーマープレートの穴にラッチボルトが刺さりドアが開閉どちらにも動かず、数ｃｍ開いた状態でドアは止まることができる。
ドアノブがレバーのものは、犬等がドアの開け方を覚えていることがあり、このような場合、デッドボルトを利用し鍵を掛けることで、本ドアストッパーで同じ様な利用方法ができる。
本ドアストッパーの途中や先端をカーブさせ、ドアが開閉時に円を描くようなカーブに合わせたり、ドアが閉まる時に本ドアストッパーの先端にドアが当たらないようドア枠側へ開きガイド状にする等の工夫が必要である。
本ドアストッパーが必要時、不要時にすぐに脱着できるように磁石と突起を組み合わせる等の工夫が必要である。
【実施例１】
【００１１】
図２参照
【産業上の利用可能性】
【００１２】
数ｃｍドアを開けて、空気の入れ替えをしながら、犬等の部屋への進入や、その逆に脱出することを防ぐとともに、人の出入りはドアノブを回し自在にドアを開閉できるドアストッパーとして利用の可能性は高い。
【図１】
2019019585.tif 000003
【図２】
2019019585.tif 000004
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
ドア枠内既設のアーマープレート部へ必要時、不要時にすぐに脱着できるように磁石又は突起によって固定し、又は磁石と突起を組み合わせ固定する固定部分（４）と、突起物であるストッパー（３）と、ドアが数ｃｍ開いたところでドア内のラッチボルトが刺さる仮アーマープレートの穴（２）が本体の長手方向に沿って連続してあることを特徴とするドアストッパー（１）。
【手続補正２】
【補正対象書類名】明細書
【補正対象項目名】０００６
【補正方法】変更
【補正の内容】
【０００６】
板状の本ドアストッパーをドア枠内既設のアーマープレート部へねじ、磁石、穴へ装入等で固定し、ドア枠方向（閉まる方向）へ動かないようにする突起物であるストッパー（ドア枠側からドア側に突き出す）と、ドアが数ｃｍ開いたところでドア内のラッチボルトが刺さる仮アーマープレートの穴が連続してあり、ストッパーがドアを閉める方向を制限し、仮アーマープレートの穴に刺さったラッチボルトがドアを開く方向を制限することでドアストッパーの役目が可能になる。
ドアノブを回せばラッチボルトがドア側へ収納し仮アーマープレートの穴から外れ、ドアを開くことが可能になり、ドアを閉めればストッパーでドアが止まり、同時に仮アーマープレートの穴にラッチボルトが刺さりドアが開閉どちらにも動かず、数ｃｍ開いた状態でドアは止まる。
既設のアーマープレート部の穴を利用しまたは本ドアストッパーに同等の穴を開け、ストッパーの突き出している方が表とし、ストッパーが外れる構造、または、表側から突き出したストッパーが裏側へ移動する等、表側がフラットおよび凹みになることで、本ドアストッパーを外さなくてもドアが完全に隙間なく閉まる状態になる。
また、ドアの厚み等によりストッパーと仮アーマープレートの穴との間隔が不足しラッチボルトが仮アーマープレートの穴に刺さらない状態になることがありストッパーや仮アーマープレートの穴の位置を少し移動できるように考慮すべきである。
請求項1は『ドア枠内既設のアーマープレート部へ必要時、不要時にすぐに脱着できるように磁石又は突起によって固定し、又は磁石と突起を組み合わせ固定する固定部分（４）と、突起物であるストッパー（３）と、ドアが数ｃｍ開いたところでドア内のラッチボルトが刺さる仮アーマープレートの穴（２）が本体の長手方向に沿って連続してあることを特徴とするドアストッパー（１）。』
【手続補正３】
【補正対象書類名】明細書
【補正対象項目名】０００９
【補正方法】変更
【補正の内容】
【０００９】
１  ドアストッパー
２  仮アーマープレートの穴
３  ストッパー
４  固定部分
５  既設のアーマープレート（ドア枠側）
【手続補正４】
【補正対象書類名】明細書
【補正対象項目名】００１０
【補正方法】変更
【補正の内容】
【００１０】
板状の本ドアストッパーをドア枠内既設のアーマープレート部へねじ、磁石、穴へ突起装入等で固定する固定部分、ドア枠方向（閉まる方向）へ動かないようにする突起物ストッパーと、ドアが数ｃｍ開いたところでドア内のラッチボルトが刺さる仮アーマープレートの穴が連続してあり、ストッパーがドアを閉める方向を制限し、仮アーマープレートの穴に刺さったラッチボルトがドアを開く方向を制限することでドアストッパーの役目が可能である。
ドアノブを回せばラッチボルトがドア側へ収納し仮アーマープレートの穴から外れ、ドアを開くことが可能になり、ドアを閉めればストッパーでドアが止まり、同時に仮アーマープレートの穴にラッチボルトが刺さりドアが開閉どちらにも動かず、数ｃｍ開いた状態でドアは止まることができる。
ドアノブがレバーのものは、犬等がドアの開け方を覚えていることがあり、このような場合、デッドボルトを利用し鍵を掛けることで、本ドアストッパーで同じ様な利用方法ができる。
本ドアストッパーの途中や先端をカーブさせ、ドアが開閉時に円を描くようなカーブに合わせたり、ドアが閉まる時に本ドアストッパーの先端にドアが当たらないようドア枠側へ開きガイド状にする等の工夫が必要である。
本ドアストッパーが必要時、不要時にすぐに脱着できるように磁石と突起を組み合わせる等の工夫が必要である。